(57)【要約】【課題】散水による融雪の効率を安定的に高く保ちながら採取水保有熱量の有効利用を促進する。【解決手段】取水源４から採取した水Ｗを第１融雪対象箇所１Ｇに対して散水する融雪用の散水手段１と、第２融雪対象箇所２Ｇに対して熱媒Ｍを放熱させる融雪用の放熱手段２と、取水源４から散水手段１に送る採取水Ｗ（Ｗａ）を採熱源として放熱手段２に対する供給熱媒Ｍを加熱するヒートポンプ３とを備える融雪設備において、取水源４における採取対象水Ｗの温度変化に応じヒートポンプ３の出力を調整して、散水手段１に対する供給採取水Ｗｃの温度ｔｚを設定適正温度ｔｚｚに調整する制御手段１２を設ける。【選択図】　　　　図１
2004137748.tif 000002
【特許請求の範囲】
【請求項１】
取水源から採取した水を第１融雪対象箇所に対して散水する融雪用の散水手段と、第２融雪対象箇所に対して熱媒を放熱させる融雪用の放熱手段と、前記取水源から前記散水手段に送る採取水を採熱源として前記放熱手段に対する供給熱媒を加熱するヒートポンプとを備える融雪設備であって、
前記取水源における採取対象水の温度変化に応じ前記ヒートポンプの出力を調整して、前記散水手段に対する供給採取水の温度を設定適正温度に調整する制御手段を設けてある融雪設備。
【請求項２】
前記取水源から採取した水を、採熱源として前記ヒートポンプに通過させる水と前記ヒートポンプを迂回させる水とに分流させて前記散水手段に送る構成にしてある請求項１記載の融雪設備。
【請求項３】
前記取水源から採取した水を前記散水手段に導く管路に、その採取水を採熱源として前記ヒートポンプに通過させる水と前記ヒートポンプを迂回させる水とに分流する分流部を設けてある請求項２記載の融雪設備。
【請求項４】
前記取水源から採取した水を受け入れる上流槽と、その上流槽から溢水堰を通じて流出する水を受け入れる下流槽とを設け、
前記上流槽から取り出した貯留水を採熱源として前記ヒートポンプに送った後、前記下流槽に戻すとともに、それに並行して、前記散水手段に送る水を前記下流槽から取り出す構成にしてある請求項２記載の融雪設備。
【請求項５】
前記制御手段を、前記取水源における採取対象水の温度変化に応じて前記散水手段に対する供給水量を調整する構成にしてある請求項１〜４のいずれか１項に記載の融雪設備。
【発明の詳細な説明】
【０００１】
【発明の属する技術分野】
本発明は、取水源から採取した水を第１融雪対象箇所に対して散水する融雪用の散水手段と、第２融雪対象箇所に対して熱媒を放熱させる融雪用の放熱手段と、前記取水源から前記散水手段に送る採取水を採熱源として前記放熱手段に対する供給熱媒を加熱するヒートポンプとを備える融雪設備に関する。
【０００２】
【従来の技術】
従来、この種の融雪設備では、融雪用の散水手段に送る採取地下水を採熱源として融雪用放熱手段に対する供給熱媒をヒートポンプで加熱するのに、採熱源である地下水をほぼ一定の温度幅だけ降温させるようにヒートポンプで採熱し、その採熱後の地下水を散水手段に送って第１融雪対象箇所に散水するようにしていた。
【０００３】
即ち、散水手段からは取水源における採取対象地下水の温度よりも一定温度幅だけ降温させた地下水を散水するようにして、その降温分のヒートポンプでの採取熱量をもって放熱手段で無散水式の融雪を実施し、これにより、地下水の保有熱量を有効利用するように、また、その分、地下水の採取必要量を削減できるようにしていた（例えば、特許文献１参照。）。
【０００４】
【特許文献１】
特許第２９７３２７６号公報
【０００５】
【発明が解決しようとする課題】
しかし、地下水とはいえ取水源において温度の変動があり、このため、ヒートポンプでほぼ一定の温度幅だけ降温させた地下水を散水する上記の従来設備では、取水源における採取対象地下水の温度が低下したとき、散水する地下水の温度が過度に低くなって散水による融雪の効率が低下してしまう問題があり、場合によっては散水した地下水が融雪対象箇所で氷結する恐れもあった。
【０００６】
また、取水源における採取対象地下水の温度が上昇したときには、散水する地下水の温度が必要以上に高くなって地下水の保有熱を散水で無駄に捨ててしまう熱ロスを生じ、そのことで所期の目的である地下水保有熱量の有効利用が不充分になる問題があり、場合によっては散水した融雪対象箇所で多量の湯気が発生して交通障害等を招来する恐れもあった。
【０００７】
この実情に鑑み、本発明の主たる課題は、上記問題を合理的な改良を以って効果的に解消する点にある。
【０００８】
【課題を解決するための手段】
〔１〕請求項１に係る発明は融雪設備に係り、その特徴は、
取水源から採取した水を第１融雪対象箇所に対して散水する融雪用の散水手段と、第２融雪対象箇所に対して熱媒を放熱させる融雪用の放熱手段と、前記取水源から前記散水手段に送る採取水を採熱源として前記放熱手段に対する供給熱媒を加熱するヒートポンプとを備える融雪設備において、
前記取水源における採取対象水の温度変化に応じ前記ヒートポンプの出力を調整して、前記散水手段に対する供給採取水の温度を設定適正温度に調整する制御手段を設けてある点にある。
【０００９】
つまり、この構成によれば、取水源における採取対象水の温度が低下したときには、それに応じヒートポンプの出力を低下させてヒートポンプでの採熱量を減少させることで、散水手段に対し供給する採取水の過度の温度低下を回避することができ、一方、取水源における採取対象水の温度が上昇したときには、それに応じヒートポンプの出力を増大させてヒートポンプでの採熱量を増大させることで、その大きな採取熱量を放熱手段による無散水式融雪の方で充分に有効利用するようにしながら、散水手段に対し供給する採取水の必要以上の高温化を回避することができ、これにより、従来に比べ、散水による融雪の効率を安定的に高く保ち、また、散水した水の氷結も一層確実に防止するようにしながら、所期の目的である採取水保有熱量の有効利用を一層効果的に促進することができ、また、高温水の散水による融雪対象箇所での多量の湯気発生も一層確実に防止することができる。
【００１０】
なお、請求項１に係る発明の実施において、取水源から採取する水は、地下水、河川水、湖沼水、海水、下水など、融雪に使用可能な温度を有するものであれば、どのような水であってもよい。
【００１１】
また、取水源における採取対象水の温度変化に応じヒートポンプの出力を調整して散水手段に対する供給採取水の温度を設定適正温度に調整するための具体的調整方式としては、取水源における採取対象水の温度を検出してその検出温度に基づきヒートポンプの出力調整を行なう方式や、ヒートポンプで採熱した後の散水手段に対する供給採取水の温度を検出してその検出温度に基づきヒートポンプの出力調整を行なう方式など、種々の調整方式を採用できる。
【００１２】
設定適正温度を具体的にどの程度の温度にするかは設備の設置条件や融雪条件等に応じて適宜決定すればよく、散水による融雪を効率を良く行うことができ、かつ、必要以上に高温の水の散水による熱ロスを効果的に防止できる適当な温度を採用すればよい。
【００１３】
〔２〕請求項２に係る発明は、請求項１に係る発明の実施に好適な実施形態を特定するものであり、その特徴は、
前記取水源から採取した水を、採熱源として前記ヒートポンプに通過させる水と前記ヒートポンプを迂回させる水とに分流させて前記散水手段に送る構成にしてある点にある。
【００１４】
つまり、この構成では、ヒートポンプを通過させた採熱後の降温水とヒートポンプを迂回させた水との混合水の温度が設定適正温度になるようにヒートポンプの出力を調整する形態を採るが、取水源から採取した水を上記のように分流させて散水手段に送ることにより、取水源から採取した水の全量をヒートポンプを通じて散水手段に送る形態を採るのに比べ、散水手段からの散水量を確保しながらも散水手段に対する全体としての送水抵抗を小さくすることができて、散水手段への送水における圧力損失を効果的に低減することができ、これにより、散水手段への送水に要するポンプを所要動力の小さなもので済ませることができて、設備コスト、運転コスト、省エネ面で有利にすることができる。
【００１５】
なお、取水源から採取した水の分流に関しては、その分流比を固定にする構成、あるいは、その分流比を調整自在にする構成のいずれを採用してもよいが、取水源における採取対象水の温度が低下してヒートポンプに送る水の温度が低下傾向になるほどヒートポンプに送る水の流量を増大させる側に分流比を自動調整するようにし、これにより、採熱部での水温低下や冷媒温低下によるヒートポンプの自動停止を抑止して設備の運転安定性を高めるようにしてもよい。
【００１６】
また、ヒートポンプを通過させた採熱後の降温水の温度が所定の温度よりも低下するときは、ヒートポンプの出力調整により採熱後の水の温度を所定温度に維持するようにして、採熱部での水温低下や冷媒温低下によるヒートポンプの自動停止を抑止して設備の運転安定性を高めるようにしてもよい。
【００１７】
〔３〕請求項３に係る発明は、請求項２に係る発明の実施に好適な実施形態を特定するものであり、その特徴は、
前記取水源から採取した水を前記散水手段に導く管路に、その採取水を採熱源として前記ヒートポンプに通過させる水と前記ヒートポンプを迂回させる水とに分流する分流部を設けてある点にある。
【００１８】
つまり、この構成によれば、ヒートポンプを通過させる水とヒートポンプを迂回させる水とに分流させる形式を採りながらも、その分流は取水源から採取した水を散水手段に導く管路上での分流であることから、その分流部よりも上流側に装備する１つのポンプで採取水を散水手段に送ることができ、これにより、設備コストを低廉化することができる。
【００１９】
また、既設の散水式融雪設備に対し放熱手段とヒートポンプとを増設して設備を構築する場合では、前述のように散水手段に対する全体としての送水抵抗を分流により小さくし得ることも相俟って、既設の散水式融雪設備で使用していたポンプをそのまま使用する、または、ポンプの変更が必要であるとしても既設ポンプより少しだけ揚程の高いポンプに変更するだけで済ませることができ、これにより、設備コストを一層低廉化することができる。
【００２０】
〔４〕請求項４に係る発明は、請求項２に係る発明の実施に好適な実施形態を特定するものであり、その特徴は、
前記取水源から採取した水を受け入れる上流槽と、その上流槽から溢水堰を通じて流出する水を受け入れる下流槽とを設け、
前記上流槽から取り出した貯留水を採熱源として前記ヒートポンプに送った後、前記下流槽に戻すとともに、それに並行して、前記散水手段に送る水を前記下流槽から取り出す構成にしてある点にある。
【００２１】
つまり、この構成では、採熱源としてヒートポンプに送る水を上流槽から取り出すことと、それに伴って、散水手段に送る水を取り出す下流槽に対し上流槽から溢水堰を通じて水を流出させることとをもって、取水源からの採取水をヒートポンプに通過させる水とヒートポンプを迂回させる水とに分流する。
そして、ヒートポンプを通過させた採熱後の降温水を下流槽に戻すことで、その戻り降温水と溢水堰から下流槽へ流入した水との混合水を散水手段に送るようにし、この混合水の温度が設定適正温度になるようにヒートポンプの出力を調整する形態を採る。
【００２２】
この構成によれば、上流槽や下流槽を沈砂槽に兼用して取水源からの採取水に対し除砂処理を施すことができ、この兼用化により設備コストを低廉化することができて、除砂処理が必要な採取水（例えば地下水や湧水）を用いる場合に好適な設備にすることができる。
また、既設の散水式融雪設備に対し放熱手段とヒートポンプとを増設して設備を構築する場合には、既設の散水式融雪設備が備える沈砂槽を利用して上流槽や下流槽を形成することもでき、これによって設備コストを一層低廉化することもできる。
【００２３】
〔５〕請求項５に係る発明は、請求項１〜４のいずれか１項に係る発明の実施に好適な実施形態を特定するものであり、その特徴は、
前記制御手段を、前記取水源における採取対象水の温度変化に応じて、前記散水手段に対する供給水量を調整する構成にしてある点にある。
【００２４】
つまり、この構成によれば、取水源における採取対象水の温度がかなり高くなってヒートポンプを上限出力で運転しても散水手段に対する供給採取水の温度が必要以上に高温になる場合に、制御手段による上記の供給水量調整により散水手段に対する供給水量（換言すれば、取水源からの採取水量）を減少させて、必要以上の無駄な高温水散水を回避することができ、この点、採取水保有熱量の有効利用の面、及び、採取必要水量の削減の面で一層優れた融雪設備にすることができる。
【００２５】
また、取水源における採取対象水の温度がかなり低くなってヒートポンプを下限出力で運転しても散水手段に対する供給採取水の温度が過度に低温になる場合に、制御手段による上記の供給水量調整により散水手段に対する供給水量やヒートポンプに対する通過水量を増加させて、散水による融雪の能力低下やヒートポンプの停止を回避することができ、この点、融雪機能の安定性の面でも一層優れた融雪設備にすることができる。
【００２６】
なお、請求項５に係る発明の実施において、取水源から採取した水をヒートポンプに通過させる水とヒートポンプを迂回させる水とに分流させて散水手段に送る形態を採る場合には、前述の如くその分流比の調整も自在な構成にするのが望ましい。
【００２７】
【発明の実施の形態】
〔第１実施形態〕
図１は請求項３に係る発明を適用した融雪設備を示し、１は第１融雪対象箇所１Ｇに対して多数の散水ノズル１ａから水Ｗｃを散水することで第１融雪対象箇所１Ｇの融雪を行なう散水手段としての散水装置、２は第２融雪対象箇所２Ｇに対して熱媒放熱による融雪を行なう放熱手段としての融雪用熱交換器、３は融雪用熱交換器２に循環させる熱媒Ｍを加熱するヒートポンプであり、ヒートポンプ３には、圧縮機３ａ、凝縮器３ｂ、膨張弁３ｃ、蒸発器３ｄを主要構成品として冷媒回路３ｒを形成した蒸気圧縮式のヒートポンプを用いている。
【００２８】
４は散水装置１に供給する水Ｗｃの取水源である井戸、５は井戸４における採取対象水Ｗ（すなわち、採取対象の地下水）を取水ポンプＰ１により貯水槽６に送出する取水路であり、貯水槽６は井戸４から採取した水Ｗを貯留することでその採取水Ｗに対し沈砂処理を施す沈砂槽を兼ねている。
【００２９】
７は貯水槽６に貯留してある水Ｗを給水ポンプＰ２により散水装置１に対して送出するための送出管路で、この送出管路７の途中部分には、給水ポンプＰ２からの送出水Ｗをヒートポンプ側分流管路７ａを通じヒートポンプ３に通過させて散水装置１に送る水Ｗａと、短絡側分流管路７ｂを通じヒートポンプ３を迂回させて直接に散水装置１に送る水Ｗｂとに分流する分流部８を設けてある。
【００３０】
そして、ヒートポンプ側分流管路７ａを通じヒートポンプ３に通過させる水Ｗａは、採熱源としてヒートポンプ３の蒸発器３ｄで冷媒Ｒと熱交換させた後、短絡側分流管路７ｂの通過水Ｗｂと合流部９で合流させて散水装置１に送るようにしてある。
【００３１】
すなわち、蒸発器３ｄで採熱されて温度降下したヒートポンプ通過側の低温ｔｙの水Ｗａを、温度降下なく短絡側分流管路７ｂを通過した高温ｔｘの水Ｗｂと混合し、この混合により均温化した混合水Ｗｃを散水装置１に供給するようにしてある。
【００３２】
合流部９には三方弁１０を設けてあり、この三方弁１０により、ヒートポンプ３に通過させて散水装置１に送る水Ｗａとヒートポンプ３を迂回させて散水装置１に送る水Ｗｂとの分流比を初期設定的に設定する。
【００３３】
１１は融雪用熱交換器２とヒートポンプ３とに亘らせた熱媒循環路であり、循環ポンプＰ３の運転により熱媒循環路１１を通じてヒートポンプ３の凝縮器３ｂと融雪用熱交換器２との間で熱媒Ｍを循環させる。
【００３４】
すなわち、ヒートポンプ３において冷媒Ｒを圧縮機３ａ−凝縮器３ｂ−膨張弁３ｃ−蒸発器３ｄの順に循環させることで、ヒートポンプ側分流管路７ａの通過水Ｗａに対し蒸発器３ｄを採熱機能させながら、熱媒循環路１１の循環熱媒Ｍに対し凝縮器３ｂを加熱機能させて、融雪用熱交換器２に送る熱媒Ｍを加熱し、この加熱した熱媒Ｍを融雪用熱交換器２において放熱させることで第２融雪対象箇所２Ｇの融雪を行う。
【００３５】
Ｓは合流部９の下流側において散水装置１に対する供給水Ｗｃの温度ｔｚ（すなわち、前記混合水の温度）を検出する温度センサ、１２は設備の運転制御を司る制御器であり、この制御器１２は、温度センサＳによる検出温度ｔｚに応じヒートポンプ３の出力を調整して散水装置１に対する供給水Ｗｃの温度ｔｚを設定適正温度ｔｚｚに調整する。
【００３６】
つまり、この制御器１２は取水源４における採取対象水Ｗの温度変化に応じヒートポンプ３の出力を調整して散水装置１に対する供給採取水Ｗｃの温度ｔｚを設定適正温度ｔｚｚに調整する制御手段を構成し、井戸４における採取対象水Ｗの温度が低下したときには、制御器１２による上記出力調整によりヒートポンプ３の出力が低下側に調整されてヒートポンプ３での採熱量が減少側に調整されることで、散水装置１に対する供給水Ｗｃの過度の温度低下が回避され、また、井戸４における採取対象水Ｗの温度が上昇したときには、制御器１２による上記出力調整によりヒートポンプ３の出力が増大側に調整されてヒートポンプ３での採熱量が増大側に調整されることで、その大きな採取熱量を融雪用熱交換器２の方で充分に有効利用するようにしながら、散水装置１に対する供給水Ｗｃの必要以上の高温化が回避される。
【００３７】
なお、上記の例では、ヒートポンプ側分流管路７ａを通じヒートポンプ３に通過させて散水装置１に送る水Ｗａと、短絡側分流管路７ｂを通じヒートポンプ３を迂回させて直接に散水装置１に送る水Ｗｂとの分流比を三方弁１０により初期設定的に設定（すなわち、固定的に設定）するようにしたが、井戸４における採取対象水Ｗの温度が低下してヒートポンプ３に送る水Ｗａの温度ｔｘが低下傾向になるほどヒートポンプ３に送る水Ｗａの流量を増大させる側に上記三方弁１０により分流比を自動調整するようにし、これにより、蒸発器３ｄにおいて水温や冷媒温が下限温度よりも低下することによるヒートポンプ３の自動停止を抑止して、設備の運転安定性を高めるようにしてもよい。
【００３８】
また、この分流比の自動調整を行う場合、具体的な調整形態としては、採熱源としてヒートポンプ３に送る水Ｗａの温度ｔｘを検出して、その検出温度ｔｘに基づき三方弁１０を調整する形態や、ヒートポンプ３から送出される採熱後の水Ｗａの温度ｔｙを検出して、その検出温度ｔｙに基づき三方弁１０を調整する形態を採用すればよい。
【００３９】
〔第２実施形態〕
図２は請求項４に係る発明を適用した融雪設備を示し、２１は第１融雪対象箇所１Ｇに対して多数の散水ノズル２１ａから水Ｗを散水することで第１融雪対象箇所１Ｇの融雪を行なう散水手段としての散水装置、２２は第２融雪対象箇所２Ｇに対して熱媒放熱による融雪を行なう放熱手段としての融雪用熱交換器、２３は融雪用熱交換器２２に循環させる熱媒Ｍを加熱するヒートポンプであり、このヒートポンプ２３には、圧縮機２３ａ、凝縮器２３ｂ、膨張弁２３ｃ、蒸発器２３ｄを主要構成品として冷媒回路２３ｒを形成した蒸気圧縮式のヒートポンプを用いている。
【００４０】
２４は散水装置２１に供給する水Ｗｃの取水源である井戸、２５は井戸２４における採取対象水Ｗを取水ポンプＰ１により貯水槽２６に送る取水路であり、貯水槽２６は、第１溢水堰２７ａとその第１溢水堰２７ａよりも低い第２溢水堰２７ｂとにより、井戸２４からの採取水Ｗを受け入れる第１貯水槽２６Ａと、第１貯水槽２６Ａから第１溢水堰２７ａを通じて流出する水Ｗを受け入れる第２貯水槽２６Ｂと、第２貯水槽２６Ｂから第２溢水堰２７ｂを通じて流出する水Ｗｂを受け入れる第３貯水槽２６Ｃとに区画してある。
【００４１】
そして、第１貯水槽２６Ａは、井戸２４から採取した水Ｗを受け入れてその採取水Ｗに含まれる砂を沈砂させる沈砂槽として機能させ、第２貯水槽２６Ｂは、ポンプＰ２′により分流路２８を通じてヒートポンプ２３の蒸発器２３ｄに送る水Ｗａを取り出す分流用の上流槽として機能させ、また、第３貯水槽２６Ｃはヒートポンプ２３の蒸発器２３ｄから戻る水Ｗａを受け入れて、その戻り水Ｗａを第２貯水槽２６Ｂからの流入水Ｗｂと混合する合流用の下流槽として機能させるようにしてあり、散水装置２１に対しては、この第３貯水槽２６Ｃから取り出した混合水Ｗｃを給水ポンプＰ２″により送出路２９を通じて供給するようにしてある。
【００４２】
つまり、ヒートポンプ２３の蒸発器２３ｄに送る水Ｗａを第２貯水槽２６Ｂから取り出すことと、それに伴って、第３貯水槽２６Ｃに対し第２貯水槽２６Ｂから第２溢水堰２７ｂを通じて水Ｗｂを流出させることとをもって、井戸４からの採取水Ｗを採熱源としてヒートポンプ２３の蒸発器２３ｄに通過させる水Ｗａとヒートポンプ２３を迂回させる水Ｗｂとに分流し、そして、ヒートポンプ２３の蒸発器２３ｄで採熱されて温度降下した低温ｔｙの水Ｗａを第３貯水槽２６Ｃに戻すことで、その戻り降温水Ｗａを温度降下なく第２溢水堰２７ｂを通じて第２貯水槽２６Ｂから第３貯水槽２６Ｃへ流入する高温ｔｘの水Ｗｂと混合し、この混合により均温化した混合水Ｗｃを散水装置２１に供給するようにしてある。
【００４３】
３１は融雪用熱交換器２２とヒートポンプ２３とに亘らせた熱媒循環路であり、循環ポンプＰ３の運転により熱媒循環路３１を通じてヒートポンプ２３の凝縮器２３ｂと融雪用熱交換器２２との間で熱媒Ｍを循環させる。
【００４４】
すなわち、第１実施形態と同様、ヒートポンプ２３において冷媒Ｒを圧縮機２３ａ−凝縮器２３ｂ−膨張弁２３ｃ−蒸発器２３ｄの順に循環させることで、分流路２８の通過水Ｗａに対し蒸発器２３ｄを採熱機能させながら、熱媒循環路３１の循環熱媒Ｍに対し凝縮器２３ｂを加熱機能させて、融雪用熱交換器２２に送る熱媒Ｍを加熱し、この加熱した熱媒Ｍを融雪用熱交換器２２において放熱させることで第２融雪対象箇所２Ｇの融雪を行う。
【００４５】
Ｓは散水装置２１に対して供給する混合水Ｗｃの温度ｔｚを検出する温度センサ、３２は設備の運転制御を司る制御器であり、この制御器３２は、温度センサＳによる検出温度ｔｚに応じヒートポンプ２３の出力を調整して散水装置２１に対する供給水Ｗｃの温度ｔｚを設定適正温度ｔｚｚに調整し、取水源２４における採取対象水Ｗの温度変化に応じヒートポンプ２３の出力を調整して散水装置２１に対する供給採取水Ｗｃの温度ｔｚを設定適正温度ｔｚｚに調整する制御手段を構成する。
【００４６】
〔別の実施形態〕
次に別実施形態を列記する。
【００４７】
上記の第１及び第２実施形態では、取水源４，２４からの採取水Ｗを採熱源としてヒートポンプ３，２３を通過させて散水手段１，２１に送る水Ｗａとヒートポンプ３，２３を迂回させて直接に散水手段１，２１に送る水Ｗｂとに分流するようにしたが、これに代え、図３に示す如く、取水源４からの採取水Ｗの全量を採熱源としてヒートポンプ３の蒸発器３ｄに通過させた上で散水手段１に供給するようにし、この構成において、ヒートポンプ３を通過した採熱後の採取水Ｗｃの温度ｔｚを検出する温度センサＳ、及び、この温度センサＳによる検出温度ｔｚに応じヒートポンプ３の出力を調整して、散水手段１に送る水Ｗｃの温度ｔｚを設定適正温度ｔｚｚに調整する制御手段１２を設けるようにしてもよい。
【００４８】
なお、図３において、第１実施形態と同機能のものには第１実施形態で用いた符号と同じ符号を付してある。
【００４９】
取水源４，２４における採取対象水Ｗの温度変化に応じヒートポンプ３，２３の出力を調整して散水手段１，２１に送る水Ｗｃの温度ｔｚを設定適正温度ｔｚｚに調整するのに、前述の如くヒートポンプ３，２３で採熱した後の散水手段１，２１に対する供給採取水Ｗｃ　（第１，第２実施形態ではヒートポンプ３，２３を通過させた水Ｗａとヒートポンプ３，２３を迂回させた水Ｗｂとの混合水、図３に示す実施形態ではヒートポンプ３を通過させた水）の温度ｔｚを検出して、その検出温度ｔｚに基づきヒートポンプ３，２３の出力を調整する制御形態に代え、取水源４，２４における採取対象水Ｗの温度や貯水槽６，２６Ａにおける採取水Ｗの温度を検出して、その検出温度に基づきヒートポンプ３，２３の出力を調整する制御形態を採用するなど、その調整のための具体的な制御形態は種々の変更が可能である。
【００５０】
請求項５に係る発明の実施形態として、取水源４，２４における採取対象水Ｗの温度変化に応じヒートポンプ３，２３の出力を調整して散水手段１，２１に対する供給採取水Ｗｃの温度ｔｚを設定適正温度ｔｚｚに調整する制御手段１２，３２を、そのヒートポンプ出力の調整に加え、取水源４，２４における採取対象水Ｗの温度変化に応じ散水手段１，２１に対する取水源４，２４からの供給水量を調整する構成にしてもよい。
【００５１】
また、その場合、取水源４，２４における採取対象水Ｗの温度低下でヒートポンプ３，２３の出力が下限出力近傍まで低下側に調整されたときに散水手段１，２１に対する取水源４，２４からの供給水量を増加させたり、取水源４，２４における採取対象水Ｗの温度上昇でヒートポンプ３，２３の出力が上限出力近傍まで上昇側に調整されたときに散水手段１，２１に対する取水源４，２４からの供給水量を減少させたりする調整形態に限らず、場合によっては、取水源４，２４における採取対象水Ｗの温度変化に応じ、ヒートポンプ３，２３の出力調整と並行して散水手段１，２１に対する取水源４，２４からの供給水量を調整する調整形態を採るようにしてもよい。
【００５２】
取水源４，２４から融雪用の散水手段１，２１に送る水Ｗを採熱源として融雪用の放熱手段２，２２に対する供給熱媒Ｍを加熱するヒートポンプ３，２３には、蒸気圧縮式のヒートポンプに限らず、吸収式ヒートポンプなど、その他、種々の形式のヒートポンプを採用することができる。
【００５３】
本発明の実施において、第１及び第２融雪対象箇所１Ｇ，２Ｇは夫々、道路、屋外駐車場、屋外階段を初め、融雪が必要な箇所であれば、どのような箇所であってもよく、また、第１融雪対象箇所１Ｇと第２融雪対象箇所２Ｇとは互いに接する箇所、一方が他方を囲む配置関係の箇所、互いに離間した箇所など、どのような配置関係の箇所であってもよい。
【００５４】
本発明で言う融雪とは、降雪した雪を融かす狭義の融雪に限らず、道路などの凍結防止を含む広義のものである。
【図面の簡単な説明】
【図１】第１実施形態を示す設備構成図
【図２】第２実施形態を示す設備構成図
【図３】別の実施形態を示す設備構成図
【符号の説明】
１Ｇ　　　　　　第１融雪対象箇所
２Ｇ　　　　　　第２融雪対象箇所
１，２１　　　　散水手段
２，２２　　　　放熱手段
３，２３　　　　ヒートポンプ
４，２４　　　　取水源
７　　　　　　　管路
８　　　　　　　分流部
１２，３２　　　制御手段
２６Ｂ　　　　　上流槽
２６Ｃ　　　　　下流槽
２７ｂ　　　　　溢水堰
Ｍ　　　　　　　熱媒
Ｗ　　　　　　　採取水
Ｗａ　　　　　　ヒートポンプに通過させる水
Ｗｂ　　　　　　ヒートポンプを迂回させる水
【図１】
2004137748.tif 000003
【図２】
2004137748.tif 000004
【図３】
2004137748.tif 000005